(57)【要約】【課題】  後方上部に洗浄水タンクを載置し、この洗浄水タンクから洗浄水を供給する水洗式大便器において、洗浄水タンクの載置部から洗浄水が漏水することがない水洗式大便器を提供する。【解決手段】  後方上部に洗浄水タンクを載置し前記洗浄水タンクからの洗浄水を供給する給水口を設けたタンク載置部と、ボウル部の上縁に沿って略水平方向に前記洗浄水を吐水するリム部吐水口と、前記リム部吐水口と前記給水口を連絡する第１連絡路と、前記タンク載置部に設けられた前記給水口を取り囲むように形成した環状の突設堰と、を備えた水洗式大便器であって、前記環状の突設堰の内側と前記ボウル部とを連絡する第２連絡路とを設け、前記第１連絡路と前記第２連絡路とが各々独立している。【選択図】  図１
2006057409.tif 000002
【特許請求の範囲】
【請求項１】
後方上部に洗浄水タンクを載置し前記洗浄水タンクからの洗浄水を供給する給水口を設けたタンク載置部と、ボウル部の上縁に沿って略水平方向に前記洗浄水を吐水するリム部吐水口と、前記リム部吐水口と前記給水口を連絡する第１連絡路と、前記タンク載置部に設けられた前記給水口を取り囲むように形成した環状の突設堰と、を備えた水洗式大便器であって、
前記環状の突設堰の内側と前記ボウル部とを連絡する第２連絡路とを設け、
前記第１連絡路と前記第２連絡路とが各々独立していることを特徴とする水洗式大便器。
【請求項２】
前記第２連絡路は一体成形で形成していることを特徴とする請求項１記載の水洗式大便器。
【請求項３】
前記第２連絡路の少なくとも底部は、前記突設堰側から前記ボウル部側に向かって下り傾斜状に形成されていることを特徴とする請求項１または２記載の水洗式大便器。
【発明の詳細な説明】
【技術分野】
【０００１】
本発明は、後方上部に洗浄水タンクを載置し前記洗浄水タンクからの洗浄水を供給する水洗式大便器に関する。
【背景技術】
【０００２】
従来、後方上部に洗浄水タンクを載置し、この洗浄水タンクから洗浄水を供給する水洗式大便器として特開２００１−１７３０７２公報に開示されたものがある。前記公報に記載の水洗式大便器は、後方上部の略中央に給水口５３を配設し、この給水口５３を取り囲んで突出した環状突出部５４を設け、この環状突出部５４の上に図示しない洗浄水タンクを載置している。そして、前記洗浄水タンクの底部に配設した排水弁の排水筒部を給水口５３へ挿入し、パッキンを介設して排水筒部と給水口との間、つまり図示しない洗浄水タンクと便器本体５１との接続部をシールしている。
【０００３】
【特許文献１】特開２００１−１７３０７２号公報（図１、２参照）
【発明の開示】
【発明が解決しようとする課題】
【０００４】
しかしながら、従来の水洗式大便器では、パッキンの劣化、洗浄水タンクを便器本体５１に組み付ける時の組み付け不良等によりパッキンと給水口５３、排水筒部との間、つまり洗浄水タンクと便器本体５１との接続部から洗浄水が漏れ、洗浄水タンクを便器本体に取り付け固定するために配設された洗浄水タンク取付穴５５より流出して床面に流下する恐れがある。
【０００５】
そこで、本発明は、後方上部に洗浄水タンクを載置し、この洗浄水タンクから洗浄水を供給する水洗式大便器において、洗浄水タンクの載置部から洗浄水が漏水することがない水洗式大便器を提供することを目的とする。
【課題を解決するための手段】
【０００６】
上記課題を解決するために、請求項１に記載の本発明は、後方上部に洗浄水タンクを載置し前記洗浄水タンクからの洗浄水を供給する給水口を設けたタンク載置部と、ボウル部の上縁に沿って略水平方向に前記洗浄水を吐水するリム部吐水口と、前記リム部吐水口と前記給水口を連絡する第１連絡路と、前記タンク載置部に設けられた前記給水口を取り囲むように形成した環状の突設堰と、を備えた水洗式大便器であって、前記環状の突設堰の内側と前記ボウル部とを連絡する第２連絡路とを設け、前記第１連絡路と前記第２連絡路とが各々独立していることを特徴とする。
【０００７】
このように構成された本発明においては、仮に、パッキンの劣化、洗浄水タンクを便器本体に組み付ける時の組み付け不良等によりパッキンと給水口、排水筒部との間、つまり洗浄水タンクと便器本体との接続部から洗浄水の漏水が発生しても発生した漏水は環状の突設堰の内側に堰き止められ、前記第２連絡路を介してボウル部に流出する。そのため床面を濡らす恐れがない。また、前記第２連絡路は、前記リム部吐水口と前記給水口とを連絡する第１連絡路とが独立して形成されているので、第１連絡路を流れる洗浄水の流れに影響を及ぼすことがなく水洗式大便器の洗浄性能にも影響を及ぼすことがない。
【０００８】
また、請求項２に記載の本発明は、前記第２連絡路は一体成形で形成していることを特徴とする。
【０００９】
このように構成された本発明においては、水洗式大便器の成形体と一体構造となり、外観上見栄えが良い水洗式大便器が実現できる。
【００１０】
また、請求項３に記載の本発明は、前記第２連絡路の少なくとも底部は、前記突設堰側から前記ボウル部側に向かって下り傾斜状に形成されていることを特徴とする。
【００１１】
このように構成された本発明においては、第２連絡路に流入した漏水が第２連絡路内に滞留せずにボウル内に排出される。そのため寒冷地で使用した場合でも第２連絡路内が凍結して流路断面積が狭まったり、閉塞することがない。
【発明の効果】
【００１２】
本発明の水洗式大便器によれば、洗浄水タンクの載置部から洗浄水が漏水することがなく床面を濡らすことが防止できる。
【発明を実施するための最良の形態】
【００１３】
以下、図１、図２に基づいて本発明を具体的に説明する。図１は本発明に係る一実施形態の水洗式大便器の上面図であり、図２は図１のａ−ａ縦断面図である。
便器本体１の後方上部には便器洗浄水を貯留するための洗浄水タンク（図示しない）を載置するタンク載置部２が設けられている。タンク載置部２には洗浄水タンクからの洗浄水を供給する給水口３と、給水口３を取り囲むように形成した環状の突設堰４とが設けられており、さらに環状の突設堰４の外側には洗浄水タンクを便器本体１に取り付け固定するために洗浄水タンク取付穴５が配設されている。また、洗浄水タンクの底部に配設した排水弁の排水筒（図示しない）を給水口３へ挿入し、パッキン６を介設して排水筒部と給水口３との間、つまり洗浄水タンクと便器本体１との接続部をシールしている。
【００１４】
パッキン６の外側であり且つ環状の突設堰４の内側に当たる部分には捨水穴７が開口されており、捨水穴７は便器本体１と一体成形で形成された第２連絡路１０ボール部２１側の開口部１１でボウル部２１と連通されている。また、捨水穴７の高さ位置は便器本体１のリム上面２４の高さ位置より高く設定している。給水口３は第１連絡路９によって、ボウル部２１の上縁に沿って略水平方向に洗浄水を吐水するリム部吐水口８と連通されている。
【００１５】
次に洗浄水の挙動について説明する。
便器洗浄の動作が行われると、図示しない洗浄水タンクに貯留されていた洗浄水は給水口３から便器本体１へ流入し、第１連絡路９を経てリム部吐水口８からボウル部２１へ略水平方向に吐水され、ボウル部２１を周回（洗浄）しながら徐々に下方向へ落ちて行き、汚物を巻き込みながらトラップ入口２２から流入し、汚物と共に便器排水口２３から流出する。
【００１６】
その際、仮に、パッキン６の劣化、図示しない洗浄水タンクを便器本体１に組み付ける時の組み付け不良等によりパッキン６と給水口３、排水筒部との間、つまり図示しない洗浄水タンクと便器本体１との接続部から洗浄水の漏水が発生しても漏水は環状の突設堰４の内側に堰き止められ、捨水穴７から第２連絡路１０に流入し、開口部１１からボウル部２１に流出する。そのため環状の突設堰４から溢れ出て床面を濡らす恐れがない。また、第２連絡路１０は、リム部吐水口８と給水口３とを連絡する第１連絡路９とが独立して形成されているので、第１連絡路９を流れる洗浄水の流れに影響を及ぼすことがなく水洗式大便器の洗浄性能にも影響を及ぼすことがない。
【００１７】
また、仮に、給水口３から便器本体１へ流入した洗浄水により第１連絡路９内が満水状態となってしてしまって場合であっても、第１連絡路９と第２連絡路１０とは各々独立している為、第２連絡路１０と連通している捨水穴７から水が噴出し、漏水によって床面を濡らす恐れがない。
【００１８】
また、便器本体１のリム上面２４の高さよりも捨水穴７の高さ位置を高く設定しているので、例え便器本体１が詰まり、リム上面２４より汚水が溢れた場合であっても、捨水穴７から汚水が溢れることは無い。
【００１９】
また、捨水穴７と第２連絡路１０によって連通されているボウル部２１側の開口部１１は、ボウル部２１を周回する洗浄水が開口部１１より流入し難い位置、つまり逆流し難い位置に配設することが好ましい。
【００２０】
本実施形態では、開口部１１はボウル部２１の後方上縁部に配設しており、リム部吐水口８からボウル部２１へ略水平方向に吐水され、ボウル部２１を周回（洗浄）する洗浄水の上流側の穴壁１２を便器の前側へずらし、対して下流側の穴壁１３を便器の後側へずらして互い違いにしており、洗浄水が開口部１１より流入し難い構造となっているため、逆流して捨水穴７から噴出し、床面を濡らす恐れがない。
【００２１】
また、前記第２連絡路は便器本体１と一体成形で形成しているため、外観上見栄えが良い水洗式大便器が実現でき、さらに部品点数を削減することが可能となることから、組立の工程まで省略することができる。
【００２２】
また、前記第２連絡路の底部１４は、図１に示すＡ→Ｂ→Ｃ→Ｄのように、環状の捨水穴７側からボウル部２１側の開口部１１に向かって下り傾斜状に形成されているため、仮に、第２連絡路１０に漏水が流入した場合であっても、漏水は第２連絡路１０内に滞留せずにボウル部２１に排出される。したがって、寒冷地で使用した場合でも第２連絡路１０内が凍結して流路断面積が狭まったり、閉塞することがない。
【図面の簡単な説明】
【００２３】
【図１】本発明に係る一実施形態の水洗式大便器の上面図である。
【図２】図１のａ−ａ縦断面図である。
【図３】従来の水洗式大便器の上面図である。
【図４】図３のｂ−ｂ縦断面図である。
【符号の説明】
【００２４】
１…便器本体
２…タンク載置部
３…給水口
４…環状の突設堰
５…洗浄水タンク取付穴
６…パッキン
７…捨水穴
８…リム部吐水口
９…第１連絡路
１０…第２連絡路
１１…開口部
１２…上流側の穴壁
１３…下流側の穴壁
１４…底部
２１…ボウル部
２２…トラップ入口
２３…便器排水口
２４…リム上面
５１…便器本体
５３…給水口
５４…環状突出部
５５…洗浄水タンク取付穴
【図１】
2006057409.tif 000003
【図２】
2006057409.tif 000004
【図３】
2006057409.tif 000005
【図４】
2006057409.tif 000006